(57)【要約】【課題】通信の中断を回避するための、第一の電話サービスから第二の電話サービスへの切り替えについて、通信網の限られた変更のみで実施可能であるような構成を提案する。【解決手段】電話サービス変換器（６）が、二つの端末（Ｔ１、Ｔ２）の間で第一の電話サービスを用いて行っている通信を中断し、第二の電話サービスにより二つの端末（Ｔ１、Ｔ２）を並行して呼び出し、つぎに、一方は変換器（６）、そして他方は二つの端末（Ｔ１、Ｔ２）それぞれとの間に確立された二つの通信を接合させることにより二つの端末（Ｔ１、Ｔ２）を関連づけ、二つの端末の（Ｔ１、Ｔ２）間に第二の電話サービスによる通信を確立する。【選択図】図２Ａ
2008501267.tif 000002
【特許請求の範囲】
【請求項１】
第一の電話サービスから第二の電話サービスへと切り替える方法であり、その方法において、二つの端末（Ｔ１、Ｔ２）がネットワークを通して第一の電話サービスにより互いに交信しており、二つの端末（Ｔ１、Ｔ２）が第二の電話サービスにより互いの交信を継続するように、第一の電話サービスから第二の電話サービスへと切替を行い、第一の電話サービスから第二の電話サービスへの切替を行うために、電話サービス変換器（６）が、
・二つの端末（Ｔ１、Ｔ２）の間で第一の電話サービスを用いて行なっている通信を中断し、
・第二の電話サービスにより二つの端末（Ｔ１、Ｔ２）を並行して呼び出し、つぎに、
・一方は変換器（６）、そして他方は二つの端末（Ｔ１；Ｔ２）それぞれとの間に確立された二つの通信を接合させることにより二つの端末（Ｔ１、Ｔ２）を関連づけ、それにより、二つの端末（Ｔ１、Ｔ２）の間に、第二の電話サービスによる通信を確立すること、
を特徴とする方法。
【請求項２】
第一の電話サービスは、ビデオ電話サービスであり、第二のサービスは音声による電話サービスである、請求項１に記載の方法。
【請求項３】
二つの端末（Ｔ１、Ｔ２）の間で第一の電話サービスを用いる通信を確立する際、二つの端末の一方（Ｔ１）、「呼び出す側の端末」が、もう一方の端末（Ｔ２）、「呼び出される側の端末」に向けて一つの呼び出しを発信すると、
１）ネットワーク（５）がこの呼び出しを変換器（６）に向けてルーティングし、それにより、呼び出す側の端末（Ｔ１）と変換器（６）との間に第一の電話サービスによる通信を確立し、
２）呼び出す側の端末（Ｔ１）からの呼び出しを受信すると、変換器（６）は、呼び出される側の端末（Ｔ２）を呼び出し、それにより、呼び出される側の端末と第一の電話サービスによる通信を確立し、つぎに、一方は、呼び出す側の端末（Ｔ１）と変換器（６）の間の、他方は、変換器（６）と呼び出される側の端末（Ｔ２）の間それぞれの二つの通信を接合させることにより、二つの端末（Ｔ１、Ｔ２）を関連づけることによって、二つの端末（Ｔ１、Ｔ２）の間に第一の電話サービスによる通信を確立する、
請求項１または２に記載の方法。
【請求項４】
呼び出す側の端末（Ｔ１）からの呼び出しを受信すると、変換器（６）は、呼び出す側の端末（Ｔ１）と呼び出される側の端末（Ｔ２）の番号を記憶し、それにより、後ほどこれらの端末を呼び出して、二つの端末（Ｔ１およびＴ２）の間に第二の電話サービスによる通信を確立する、請求項３に記載の方法。
【請求項５】
変換器が、呼び出される側の端末（Ｔ２）を第二の電話サービスにより呼び出す際、呼び出す側の端末（Ｔ１）の識別情報を、呼び出される側の端末（Ｔ２）に伝送される、呼び出し元識別フィールドの中に挿入する、請求項３または４に記載の方法。
【請求項６】
変換器（６）が、二つの端末（Ｔ１、Ｔ２）の間の第一の電話サービスを用いる通信の質を監視し、そして、その通信の質の劣化を検知すると、その通信を中断する、請求項１から５のいずれか一つに記載の方法。
【請求項７】
二つの端末（Ｔ１、Ｔ２）の間の第一の電話サービスを用いる通信を中断した後、変換器が二つの端末（Ｔ１、Ｔ２）のそれぞれに、これから第二の電話サービスによる通信が確立されることを通知する、請求項１から６のいずれか一つに記載の方法。
【請求項８】
ネットワーク用の電話サービス変換器であり、
１）二つの端末（Ｔ１、Ｔ２）の間の第一の電話サービスを用いる通信を中断させるための呼び出し切断手段（６２）、
２）二つの端末（Ｔ１、Ｔ２）を並行して呼び出すことにより、これらの端末と、それぞれ第二の電話サービスによる通信を二つ確立するように構成された呼び出し手段（６３）と、
３）一方は変換器（６）、他方は二つの端末（Ｔ１、Ｔ２）それぞれとの間の二つの通信を接合させることにより、二つの端末（Ｔ１、Ｔ２）を関連づけ、それにより、二つの端末の間に第二の電話サービスによる通信を確立するように構成された接合手段（６４）、
を含む、変換器。
【請求項９】
呼び出し手段（６３）が、ネットワーク（５）により変換器（６）に向けてルーティングされた呼び出しである、端末（Ｔ１）、「呼び出す側の端末」が、もう一方の端末（Ｔ２）、「呼び出される側の端末」に向けて発した第一の電話サービスによる呼び出しを受信すると、呼び出される側の端末（Ｔ２）を第一の電話サービスにより呼び出すように構成されており、また、接合手段（６４）が、一方は呼び出す側の端末（Ｔ１）と変換器（６）との間の、他方は、変換器（６）と呼び出される側の端末（Ｔ２）との間の二つのそれぞれの通信を接合させることにより、二つの端末（Ｔ１、Ｔ２）を関連づけ、それにより、二つの端末（Ｔ１、Ｔ２）の間に第一の電話サービスによる通信を確立するように構成されている、請求項８に記載の変換器。
【請求項１０】
変換器（６）と呼び出される側の端末（Ｔ２）との間に呼び出しを確立する際、呼び出される側の端末（Ｔ２）に伝送される、呼び出し元識別フィールドの中に、呼び出す側の端末の識別情報を挿入するための手段が用意されている、請求項９に記載の変換器。
【請求項１１】
二つの端末（Ｔ１、Ｔ２）の間の通信の劣化を検出し、それにより、前記通信のために用いられる電話サービスの変更を指示するための手段（６１）が用意されている、請求項８から１０のいずれか一つに記載の変換器。
【請求項１２】
第一の電話サービスによる通信を中断した後、二つの端末（Ｔ１、Ｔ２）に、これから第二の電話モードを用いる通信が確立されることを通知するための手段（６２）が用意されている、請求項８から１１のいずれか一つに記載の変換器。
【請求項１３】
二つの端末（Ｔ１、Ｔ２）の間に通信を確立する際にその通信に用いられる電話サービスを識別するための手段（５０）と、一方の端末（Ｔ１）、「呼び出す側の端末」から発せられ、もう一方の端末（Ｔ２）、「呼び出される側の端末」に宛てられた呼び出しを、所定の電話サービスの場合、請求項８から１１のいずれか一つに記載の電話サービス変換器（６）に向けて導くための進路決定手段（５１）を含むことを特徴とする、呼び出しルーティング装置。
【請求項１４】
モバイル・スイッチング・センタ（３）の中に組み込まれていることを特徴とする、請求項１３に記載の呼び出しルーティング装置。
【請求項１５】
請求項８から１２のいずれか一つに記載の電話サービス変換器（６）と、請求項１３または１４に記載の呼び出しルーティング装置を含み、第一の電話サービスと第二の電話サービスをサポートするのに適した電話システム。
【発明の詳細な説明】
【技術分野】
【０００１】
本発明は、二つの電話サービス、例えばビデオ電話サービスと音声による電話サービスとの間で切替を行う方法に関するものである。
【背景技術】
【０００２】
例えば、第三世代ネットワークＵＭＴＳのような携帯電話システムにおいては、アクセスネットワークＵＭＴＳの無線カバーエリアは複数のセルに分割されており、そのセルのそれぞれは、送受信機を一つ備えた、そのセル内に位置する移動端末と通信を行うための固有の「ノードＢ」（Ｎｏｄｅ  Ｂ）を具備する。通信を行っている途中に、ある移動端末が移動すると、その端末と、その端末が接続されている「ノードＢ」の間の伝送信号がどの時点から弱くなったかをそのネットワークが感知して、他に使用可能な「ノードＢ」を見つけることにより、その端末のセルを変更するようにする。そのようにして、端末は、進行中の通信を中断させることなく維持しながら、接続対象となる「ノードＢ」を変更することになる。このようなセル間の移転の仕組みは一般に“ハンドオーバ（ｈａｎｄｏｖｅｒ）”と呼ばれる。そのハンドオーバがカバー区域全体で確実に行われるようにするためには、そのカバー区域の各地点における移動端末は、（受信した信号の質がよくなるようなセルに向けて）セルを変更できるよう、少なくとも二つの「ノードＢ」の信号を感知していなければならない。
【０００３】
第三世代の携帯電話システム、特にＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）が目指すのは、特に、流量を増やすことにより、例えばビデオのようなマルチメディア通信を移動端末間でより高速にすることである。それゆえ、第三世代の携帯電話事業者は、自分たちのユーザーにビデオ電話サービスを提案することを検討している。
【０００４】
しかしながら、ビデオ通信用のハンドオーバを確実に行うためには、アクセスネットワークＵＭＴＳの無線カバー範囲の密度を、単に音声のみでの通信用のハンドオーバを確実に行うための密度よりもより濃密にしなければならないのであり、それには、ＵＭＴＳシステム特有の二つの理由がある。第一の理由は、ＵＭＴＳセルＣ（図１）では、ビデオ電話サービスと音声による電話サービスとは、どちらもセルＣの中心部Ｃ１では実用に堪えるのであるが、そのセルの周辺部Ｃ２で実用に堪えるのは音声による電話サービスのみであるということである。図１に見られるように、現にＵＭＴＳシステムのカバー区域では、隣接するセルが部分的に重なり合うのは周辺部に限られる。このことから、音声による電話サービスは、カバー区域全体で確実に行えるのではあるが、ビデオ電話サービスはそうはいかないということになる。第二の理由は、ＵＭＴＳセルが「呼吸をする」と言われていること、つまり、ある所定のセル内のユーザー数が多ければ多いほど、そのセルの面積が減少するということにある。上記に言及した二つの理由から、移動端末のユーザーが一つのセルから別のセルへと移動する際には、ビデオ電話サービスの継続性を保証しがたい。その場合には、ユーザーのビデオ通信は中断の危機にさらされる。
【０００５】
このようなビデオ電話サービスの無線カバー範囲の問題は、特に文献ＳＰ−０３０７２４において３ＧＰＰ（第三世代パートナーシップ・プロジェクト−ＵＭＴＳ規格化機構）の一環としての規格化で取り上げられた問題である。この問題を解決するために、開発が検討されているのが、一方を移動端末とする二つの端末の間のビデオ通信が劣化した際に、ビデオ電話サービスから音声による電話サービスへと自動的に移行することで、その通信を音声電話サービスによって続行し、通信の中断を回避するということを目指す切替サービスである。この切替サービスを実施するために二つの解決法が検討された。
【０００６】
第一の解決法は、ＵＭＴＳのＲｅｌｅａｓｅ９９に規定されている「マルチコール」（ｍｕｌｔｉｃａｌｌ）サービスに基づくものである。この機能性により、利用者は、第三世代携帯電話ネットワークの回線切替用のセクションを通して、二つの電話通信を同時に並行して確立し維持することができるようになる。このように、「マルチコール」サービスを搭載している移動端末は、ビデオ通信と音声による通信を同時に並行して確立することができる。上記に言及した切替サービスを実施するために、「マルチコール」サービスを利用することが検討されている。つまり、二つの移動端末の一方が移動中にビデオ電話サービスのカバー外の区域に移行することによって、両者の間のビデオ電話通信が劣化すると、その端末は、それまでビデオモードで通信を行っていた相手の端末に向けて一つの呼び出しを音声電話サービスによって発信することができる。音声による通信が確立された後は、そのビデオによる通信は解放されてもよい。
【０００７】
この解決法には様々な難点がある。第一の難点は、音声による通信を確立するにはある程度の時間がかかり、それは利用者が感じ取れるほどのものなのだが、並行して維持されているビデオ通信がその間に劣化してしまうということにある。それゆえ、音声通信の確立までの時間中、通信の質は利用者にとって満足のいかないものになってしまいかねない。第二の難点は、この解決法が、「マルチコール」サービスをサポートし、それを搭載している端末の間でしか実施できないということに関連するものである。ところで、このサービスは、固定電話のネットワークの端末用に規定されたものではない。更に、たとえ携帯電話ネットワークの端末用に規定されているにしても、ユーザーに提案されている移動端末では現在のところサポートされておらず、更には移動端末メーカーの見通しの中にもこのサービスは見受けられない。第三の難点は、「マルチコール」サービスを実施するには、ＵＭＴＳシステムのコアネットワークのＭＳＣ（モバイル・スイッチング・センタ）を適合させることが必要となることであるが、それはまだメーカーの見通しに入っていない。
【０００８】
第二の解決法は、ＵＭＴＳのＲｅｌｅａｓｅ５に規定されている「サービス変更（ｓｅｒｖｉｃｅ  ｃｈａｎｇｅ）」に基づくものである。このサービスにより、二つの端末の間で電話通信を行っている途中に、ビデオモードから音声モードに移行することも、その逆も、二つの通信モードの特性が通信確立の際に特定されている限り、そして二つの端末がこれらの特性をサポートしている限り可能である。
【０００９】
上記で言及した切替サービスを実施するために、この「サービス変更」サービスを次のように用いることが検討されている。つまり、二つの端末の間のビデオモードでの電話通信が劣化した際に、その通信を音声モードに移行することを一方の端末から求めることができる、というようにである。
【００１０】
とはいうものの、この解決法にも幾つか難点がある。一つには、その「サービス変更」を実施するには、移動端末、ＲＮＣ（無線アクセス・ネットワーク制御装置）そしてＭＳＣ（モバイル・スイッチング・センタ）というＵＭＴＳ通信網の構成要素すべてに変更が必要だということである。ところで、このような変更を検討している機器メーカーはまだない。他方では、海外を移動中、いわゆる「ローミング」中の際に、その「ローミング」の相手となる事業者が自分のネットワークをその「変更」サービス用に適合させていない場合、また更に、他の携帯電話事業者の端末と通信をする際に、その相互接続の相手となる事業者が自分のネットワークをその「サービス変更」用に適合させていない場合は、自分の事業者が提案した「サービス変更」を搭載している端末は、このサービスの恩恵に浴することができないことになる。
【発明の開示】
【発明が解決しようとする課題】
【００１１】
確かに、「マルチコール」サービスと「サービス変更」は、それぞれＵＭＴＳのＲｅｌｅａｓｅ９９とＲｅｌｅａｓｅ５に規定されているが、移動端末も、携帯電話ネットワークの現在のインフラもまだこれらのサービスの実施を可能にするのに適合されていない。ビデオ通信の劣化が原因でビデオ通信を行っている最中の二つの端末の間の通信が完全に中断されることを回避することを目的とした、ビデオ電話サービスから音声による電話サービスへの切替サービスの実現のための上記に説明した二つの解決法は、したがって短期的には実用化されることができない。
【００１２】
それゆえ、本発明の問題は、この二つの解決法の代替案となり、その実施が通信網の限られた変更しか必要としないような代替案を提案することにある。
【００１３】
ここで注意すべきは、そもそも本発明は、ビデオ電話サービスと音声による電話サービスとの間の切替の問題から生じたものであるということである。しかしながら、本発明はこのような具体的ケースにのみ限定されるものではなく、更に一般的に、二つの電話サービスの間の切替の問題に適用されるものである。
【課題を解決するための手段】
【００１４】
そのため、本発明が対象とするのは、第一の電話サービスから第二の電話サービスへと切り替える方法であり、その方法において、二つの端末がネットワークを通して第一の電話サービスにより互いに交信しており、二つの端末が第二の電話サービスにより互いの交信を継続するように、第一の電話サービスから第二の電話サービスへと切替を行い、その特徴は、第一の電話サービスから第二の電話サービスへの切替を行うために、電話サービス変換器が、
・二つの端末の間で第一の電話サービスを用いて行なっている通信を中断し、
・第二の電話サービスにより二つの端末を並行して呼び出し、つぎに、
・一方は変換器、そして他方は二つの端末それぞれとの間に確立された二つの通信を接合させることにより二つの端末を関連づけ、それにより、二つの端末の間に第二の電話サービスによる通信を確立することにある。
【発明の効果】
【００１５】
本発明は要するに、二つの端末の間の第一の電話サービスによる通信を故意に切断し、変換器と二つの端末それぞれとの間に第二の電話サービスによる二つの通信を開始し、つぎに、その二つの通信を接合させることにより二つの端末を関連づけ、それにより、それらの端末が互いに第二の電話サービスにより通信を行うようにすることである。後で確認することであるが、この方法の実施には通信網のわずかな変更しか必要としない。実際、呼び出し切断時に二つの端末の間に設置される変換器を通信網に付け加えるだけで済むのである。
【００１６】
好ましい実施態様においては、第一の電話サービスはビデオ電話サービスであり、第二のサービスは音声による電話サービスである。
【００１７】
この場合は、本発明の方法により、例えば二つの端末の一方が移動してビデオ電話サービスのカバー外の区域に移った時に、二つの端末の間でビデオ通信から音声による通信に移行することができる。
【００１８】
好適には、二つの端末の間で第一の電話サービスを用いる通信を確立する際、二つの端末の一方、「呼び出す側の端末」が、もう一方の端末、「呼び出される側の端末」に向けて一つの呼び出しを発信すると、
１）ネットワークがこの呼び出しを変換器に向けてルーティングし、それにより、その呼び出す側の端末と変換器との間に第一の電話サービスによる通信を確立する。
２）呼び出す側の端末からの呼び出しを受信すると、変換器は、呼び出される側の端末を呼び出し、それにより、呼び出される側の端末と第一の電話サービスによる通信を確立し、つぎに、一方は呼び出す側の端末と変換器の間の、そして他方は変換器と呼び出される側の端末の間それぞれの二つの通信を接合させることにより、二つの端末を関連づけることによって、二つの端末の間に第一の電話サービスによる通信を確立する。
【００１９】
このように、第一の電話サービスを用いる二つの端末の間の通信を確立する際には、ネットワークは、変換器にその呼び出しを経由させる。
【００２０】
本発明はまた、以下の手段を含む、ネットワーク用の電話サービス変換器をも対象とする。
１）二つの端末の間の第一の電話サービスを用いる通信を中断させるための呼び出し切断手段
２）二つの端末を並行して呼び出すことにより、これらの端末と、それぞれ第二の電話サービスによる通信を二つ確立するように構成された呼び出し手段
３）一方は変換器、そして他方は二つの端末それぞれとの間の二つの通信を接合させることにより、二つの端末を関連づけ、それにより、二つの端末の間に第二の電話サービスによる通信を確立するように構成された接合手段
【００２１】
本発明は、最後に、呼び出しのルーティングを行う装置に関するものであり、二つの端末の間に通信を確立する際に用いられる電話サービスを識別するための手段と、二つの端末のうちの一方、「呼び出す側の端末」からもう一方の端末、「呼び出される側の端末」に宛てて発信された呼び出しを、所定の電話サービスの場合には、前もって規定された電話サービスの変換器に向けて導くための進路決定手段とを含むことを特徴とするものである。
【実施例１】
【００２２】
本発明は、以下の添付図面を参照しつつ、二つの電話サービスの間で切替を行う方法の具体的実施態様、電話サービス変換器と呼び出しルーティング装置の具体的実施形態の以下の説明を参考にすることで、より理解が深まっていく。
・図１は、セルのカバー範囲全体にわたって音声による電話サービスが可能であり、その一部でのみビデオ電話サービスが可能なＵＭＴＳセルの概略図である。
・図２Ａは、第一の変形実施例において、発信の場合の、図１の携帯電話システムの通信網の構成要素を示す。
・図２Ｂは、第一の変形実施例において、着信の場合の、図１の携帯電話システムの通信網の構成要素を示す。
・図３は、図２Ａと図２Ｂの呼び出しルーターのブロックフローチャートである。
・図４は、図２Ａと図２Ｂの電話サービス変換器のブロックフローチャートである。
【００２３】
図２Ａと図２Ｂが示すのは、第三世代携帯電話システム、この場合はＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）であり、それは、ユーザー同士でビデオ（即ち音声と動画）による通信を可能にするビデオ電話サービス、いわゆる「テレビ電話」と、ユーザー同士で音声のみによる通信を可能にする音声による電話サービスとを組み込むものである。このシステムに含まれるのは、周知のように、複数の「ノードＢ」（Ｎｏｄｅ  Ｂ）１、ＲＮＣ（ラジオ・ネットワーク・コントローラ）２、ＭＳＣ（モバイル・スイッチング・センタ）３、および、ＩＳＤＮネットワーク（サービス統合デジタル・ネットワーク）９を含む、外部で切り替えられる電話ネットワークとＵＭＴＳネットワークとの間のゲートウェイの役割を果たすＧ−ＭＳＣ４である。
【００２４】
各ノードＢ１は、中心部Ｃ１と周辺部Ｃ２を含む一つのセルで確実に電波を行き渡らせる送受信機を一つ備えている（図１）。ビデオ電話サービスと音声による電話サービスは、そのセルの中心部Ｃ１で実用に耐えるものであり、一方、そのセルの周辺部Ｃ２で実用に堪えるのは音声による電話サービスのみである。図１に見られるように、周辺では隣接するセルは部分的に重なり合っており、その結果、音声による電話サービスは、図１でおおまかに示されている周囲Ｐの内部にまで及んで、セルでカバーされた地域Ｒ全体で実用化可能であるのに対して、ビデオ電話サービスはこの地域Ｒ全体では実用化できないというのは、セルＣの周辺区域Ｃ２の幾つかが隣接するセルの中心部Ｃ１にカバーされていないからである。
【００２５】
該システムには更に呼び出しルーター５と電話サービス変換器６が含まれる。明細書にある具体例では、各変換器６は幾つもの呼び出しルーター５に接続され、逆に、各ルーター５は幾つもの変換器６につながれている。変形例として、各変換器を一つのルーターにのみつなげてもよい。呼び出しルーター５の数と、変換器６の数は、一つには、ビデオ電話のデータ流量がどのくらいかにより、また他方では、機器５および６の呼び出し処理能力にもよる。
【００２６】
まず、注意したいのは以下のことである。
・「発信」は、ある移動端末から（他の移動端末または固定端末に宛てて）発せられる呼び出しを意味し、
・「着信」は、（他の移動端末または固定端末から）ある移動端末に宛てた呼び出しを意味する。
【００２７】
発信の場合は、ＵＭＴＳ通信網に含まれるのは、図２Ａを参照しつつ順番に言うと、呼び出す側の移動端末Ｔ１、「ノードＢ」１、ＲＮＣ２、ＭＳＣ３、呼び出しルーター５および変換器６である。着信の場合は、ＵＭＴＳ通信網に含まれるのは、図２Ｂを参照しつつ順番に言うと、Ｇ−ＭＳＣ４、呼び出しルーター５、変換器６、ＭＳＣ３、ＲＮＣ２、「ノードＢ」１、および呼び出される側の移動端末Ｔ２である。
【００２８】
呼び出しルーター５は、ビデオ電話サービスを用いる呼び出しの場合に、「呼び出す側の」端末から発せられた「呼び出される側の」端末に宛てた呼び出しを、変換器６の方にルーティングする、言い換えると送るための装置である。図３を参照しつつ述べると、以下の構成要素が含まれる：
・呼び出しの性質を識別し、その識別された呼び出しにどのような電話サービスが用いられているかを確定するための識別モジュール５０と、
・ビデオ電話サービスによる呼び出しか、その他の電話サービス、例えば音声電話サービスによるものかに応じて、その呼び出しを、変換器６に向けて、あるいは直接、呼び出されている側の端末に向けて導くための進路決定モジュール５１。
【００２９】
識別モジュール５０は、二つの端末のうちの少なくとも一つがＵＭＴＳネットワークの移動端末である場合には、呼び出す側の端末から発せられた呼び出される側の端末に宛てた各呼び出しが用いているサービスのタイプを識別するためのものである。発信の場合には、呼び出す側である、通信を開始する移動端末から発せられた、呼び出し確立メッセージＣＣ−Ｓｅｔｕｐを受信すると、ＭＳＣ３が呼び出される側の端末に向けて伝送するメッセージＩＡＭ（Ｉｎｉｔｉａｌ  Ａｄｄｒｅｓｓ  Ｍｅｓｓａｇｅ）の内容となる伝達能力（“ＩＳＤＮ  Ｂｅａｒｅｒ  Ｃａｐａｂｉｌｉｔｙ”）を記述する部分に記載されている、‘Ｏｔｈｅｒ  Ｒａｔｅ  Ａｄａｐｔａｔｉｏｎ’と‘ＦＮＵＲ’フィールドの内容を、識別モジュール５０が分析する。ＩＳＤＮネットワーク９の固定端末から発せられた着信の場合には、ＩＳＤＮネットワーク９がＧ−ＭＳＣ５に伝送するメッセージＩＡＭ（Ｉｎｉｔｉａｌ  Ａｄｄｒｅｓｓ  Ｍｅｓｓａｇｅ）の内容となる伝達能力（“ＩＳＤＮ  Ｂｅａｒｅｒ  Ｃａｐａｂｉｌｉｔｙ”）を記述する部分に記載されている、‘Ｏｔｈｅｒ  Ｒａｔｅ  Ａｄａｐｔａｔｉｏｎ’と‘ＦＮＵＲ’フィールドの内容を、識別モジュール５０が分析する。モジュール５０は、以下の場合に、それがビデオ電話での呼び出しであると識別する。
・‘Ｏｔｈｅｒ  Ｒａｔｅ  Ａｄａｐｔａｔｉｏｎ’＝“Ｈ２２３＆Ｈ２４５”
・‘ＦＮＵＲ’＝６４ｋｂ／ｓ
【００３０】
進路決定モジュール５１は、モジュール５０が識別した呼び出しを、それがビデオ電話の呼び出しであるならば変換器６に向けて、そうでなければ、直接、呼び出される側の端末に向けて導くためのものである。
【００３１】
変換器６は、通信中の二つの端末の間で用いられる電話サービスを変換するためのものである。図２Ａと図２Ｂに示されている携帯電話システムにおける変換器の位置は、一方ではＵＭＴＳネットワークのＭＳＣ３、他方ではＵＭＴＳネットワークとＵＭＴＳネットワークの外部にあるネットワーク、特にＧ−ＭＳＣ４との間のゲートウェイとの間に位置している。図４を参照すると、変換器６には以下のものが含まれる。
・呼び出す側の番号と呼び出される側の番号を内容とする、呼び出し確立メッセージを受信するモジュール６０
・二つの端末の間の通信の質の劣化を検出するモジュール６１
・二つの端末の間で進行中のビデオ通信を中断するように構成された呼び出し切断モジュール６２
・端末の呼び出しを行うように構成された呼び出しモジュール６３
・一方は変換器６、そして他方は二つの端末それぞれとの間の二つの通信を接合させることにより、二つの端末を関連づけるように構成された接合モジュール６４
・呼び出す側の番号と呼び出される側の番号を保存するメモリー６５
【００３２】
受信モジュール６０は以下のことを行うように構成されている。
・呼び出す側の番号と呼び出される側の番号を内容とする、呼び出し確立メッセージ、この場合には、ビデオ発信の場合はＭＳＣ３から発せられ（図２Ａ）、ビデオ着信の場合はＧ−ＭＳＣ４から発せられた（図２Ｂ）、呼び出しルーター５を介して伝送されるＩＡＭメッセージ（Ｉｎｉｔｉａｌ  Ａｄｄｒｅｓｓ  Ｍｅｓｓａｇｅ）を受信し、
・ＩＡＭメッセージから、呼び出す側と呼び出される側の二つの番号を抜き出し、それらを互いに関連づけてメモリー６５に記憶させる。
【００３３】
検出モジュール６１は、ここでは、コード化されたビデオ・データのパケットを二つの端末の間で搬送する、ビデオ・コード化プロトコルＨ．２６３のフレームを分析することにより、二つの端末の間のビデオ通信の質の劣化を検出するように構成されている。例えば欠損した、あるいはエラーの生じたデータのパケット数のような通信の質の指標に応じて、検出モジュール６１は、二つの端末の間のビデオ通信の質が、適切に続行できるかどうかという点で不十分なものになりはじめた時点を確定する。ビデオ通信の質が満足のいかないものになることがあるのは、例えば、二つの端末の一つである携帯電話が移動して、ビデオ電話サービスが実用に耐えない「ノードＢ」のセルの周辺に位置する区域内に移行したというときである。
【００３４】
呼び出し切断モジュール６２は、ビデオ通信の質が不十分なものになった際、検出モジュール６１の指示を受けると、二つの端末の間で進行中のビデオ通信を中断し、そして、これから音声による電話サービスを用いる通信が確立されることを二つの端末に通知するように構成されている。このように、各端末は、一時的な性質をもつ通信の中断を警告されており、その利用者に、これから音声による通信が確立されること通知することができるのであり、これは本方法の記述の中でこれから明らかにしていく通りである。
【００３５】
呼び出しモジュール６３は、一方では、それぞれ「呼び出す側」と「呼び出される側」の二つの端末の間でビデオ呼び出しを確立する際、他方では、呼び出し切断モジュール６２により二つの端末の間で進行中のビデオ通信が中断された後に、呼び出しを発信するように構成されている：
・「呼び出す側の」端末から発せられ「呼び出される側の」端末に宛てられたビデオ呼び出しを確立する際には、ルーター５がその呼び出しを変換器６に向けてルーティングする。呼び出しモジュール６３は、そのビデオ呼び出しを受信すると、呼び出す側の端末の識別情報、この場合は呼び出し番号を、呼び出される側の端末に伝送される、呼び出し元識別フィールドに挿入して、呼び出される側の端末をビデオ電話サービスによって呼び出すように構成されている。
・二つの端末の間のビデオ通信が中断された後、呼び出しモジュール６３は、二つの端末を並行して呼び出すことにより、これらの端末と、それぞれ音声による電話サービスによる通信を二つ確立するように構成されている。
【００３６】
接合モジュール６４は、二つの端末の間のビデオ通信が中断され、変換器６と二つの端末それぞれとの間に二つの音声による通信が確立された後、その変換器６と端末の一方との間の通信と、その変換器６ともう一方の端末との間の通信とを接合させる、つまり、これら二つの通信を繋ぎ合わせることにより、二つの端末を音声による電話サービスによって通信を行う状態にするように構成されている。
【００３７】
呼び出しルーター５と変換器６の働きに対応する、ビデオ電話サービスから音声による電話サービスに切り替える方法をこれから説明する。
【００３８】
ビデオ発信の場合（図２Ａ）
【００３９】
「呼び出す側の」ＵＭＴＳ移動端末Ｔ１から発せられ、「呼び出される側の」端末Ｔ２、例えば固定ネットワークＩＳＤＮ９の端末に宛てたビデオ発信の場合、遠距離通信規格３ＧＰＰの仕様書ＴＳ２４．００８によって規定されている、メッセージＣＣ−Ｓｅｔｕｐ（Ｅ１）によって通信が開始され、呼び出す側の端末Ｔ１から発せられたそのメッセージは、呼び出す側の端末Ｔ１が接続されているＭＳＣ３にＵＴＲＡＮを介して伝送され、そのＵＴＲＡＮは端末Ｔ１が接続されているノードＢ１とＲＮＣ２とで構成されている。メッセージＣＣ−ＳｅｔｕｐをＭＳＣ３から受信した後、ネットワークＵＭＴＳは必要なリソースをＲＡＢ  ａｓｓｉｇｎｅｍｅｎｔの手順によりＵＴＲＡＮの中に割り当てる（Ｅ２）。いったんリソースが割り当てられると、ＭＳＣ３はメッセージＩＡＭ（Ｅ３）を端末Ｔ２に向けて発信する。このメッセージの中にあるのは、呼び出す側の端末Ｔ１の番号を内容とする、呼び出し元識別フィールドと、呼び出される側の端末Ｔ２の番号を内容とする、呼び出し先識別フィールドと、以下のフィールドを内容とする、伝達能力（“ＩＳＤＮ  Ｂｅａｒｅｒ  Ｃａｐａｂｉｌｉｔｙ”）を記述する部分である。
・‘Ｏｔｈｅｒ  Ｒａｔｅ  Ａｄａｐｔａｔｉｏｎ’＝“Ｈ２２３＆Ｈ２４５”
・‘ＦＮＵＲ’＝６４ｋｂ／ｓ
【００４０】
呼び出しルーター５は、メッセージＩＡＭを傍受して、‘Ｏｔｈｅｒ  Ｒａｔｅ  Ａｄａｐｔａｔｉｏｎ’と‘ＦＮＵＲ’フィールドの内容を分析することにより、それがビデオ呼び出しかどうか（つまりビデオ電話サービスを用いる呼び出しかどうか）を識別し、その呼び出しを、そのルーターが接続されている変換器６に向けてルーティングし、受信したメッセージＩＡＭをその変換器に伝送する（Ｅ４）。
【００４１】
変換器６はメッセージＩＡＭを受信し、そこから呼び出す側と呼び出される側の番号を抜き出し、それらを互いに関連づけてメモリーに記憶させる。つぎに、変換器６は、一方では呼び出される側の端末Ｔ２を呼び出し、他方では、呼び出す側の端末Ｔ１との通信の確立を完結させるということを、以下のようにして行う。
【００４２】
端末Ｔ２を呼び出すために、変換器６は、その端末に向けて、呼び出し元識別フィールドに、この場合はＴ１の呼び出し番号で構成された、呼び出す側の端末Ｔ１の識別情報を挿入して、新しいメッセージＩＡＭを発信する（Ｅ５）。このようにして、その呼び出しは、呼び出す側の端末Ｔ１から呼び出される側の端末Ｔ２へと送られていくのであるが、それは変換器６を介して、二つのメッセージＩＡＭによって送られていくのであり、これらのメッセージはそれぞれＭＳＣ３（Ｅ３）と変換器６（Ｅ５）から発せられ、どちらも呼び出し元識別フィールドの中に、呼び出す側の端末Ｔ１の番号を含んでいる。そういうわけで、呼び出される側の端末Ｔ２から見ると、受信した呼び出しの出所は呼び出す側の端末Ｔ１であり、変換器６ではない。呼び出される側の端末Ｔ２に、呼び出しを受信した旨が着信音によって通知されると、ＩＳＵＰ層（ＩＳＤＮ  Ｕｓｅｒ  Ｐａｒｔ）のメッセージＡＣＭ（Ａｄｄｒｅｓｓ  Ｃｏｍｐｌｅｔｅ  Ｍｅｓｓａｇｅ）（Ｅ６）が、呼び出される側の端末Ｔ２から変換器６に伝送される。呼び出される側Ｔ２が受話器を取ると、メッセージＡＮＭ（Ａｎｓｗｅｒ  Ｍｅｓｓａｇｅ）（Ｅ８）が変換器６に伝送され、それからビデオ電話通信が、端末Ｔ２と変換器６との間に確立される。
【００４３】
呼び出す側の端末Ｔ１と変換器６との間の通信の確立の過程は、次のような流れを経て終了する。呼び出される側の端末Ｔ２が着信音によって通知されたことを示すメッセージＡＣＭ（Ｅ６）が変換器６によりＭＳＣ３に再伝送される（＿Ｅ６）。この情報は、メッセージＣＣ  Ａｌｅｒｔｉｎｇ（Ｅ７）を用いてＭＳＣ３により、呼び出す側の端末Ｔ１に伝送される。同様に、呼び出される側の端末Ｔ２が受話器を取ったことを示すメッセージＡＮＭ（Ｅ８）が変換器６によりＭＳＣ３に再伝送され（＿Ｅ８）、この情報はメッセージＣＣ  Ｃｏｎｎｅｃｔ（Ｅ９）を用いてＭＳＣ３により、呼び出す側の端末に伝送される。呼び出す側の端末Ｔ１は、このとき、通信の確立を確認するために、ＭＳＣ３にメッセージＣＣ  Ｃｏｎｎｅｃｔ  Ａｃｋ（Ｅ１０）を送る。このとき、呼び出す側の端末Ｔ１と変換器６との間のビデオ電話通信が確立される。
【００４４】
一方は変換器６、そして他方は二つの端末Ｔ１とＴ２それぞれとの間の二つのビデオ通信を確立した後、変換器６は二つの通信を接合させ、それにより、二つの端末Ｔ１とＴ２とをビデオ電話サービスにより関連づける。二つの端末Ｔ１とＴ２とは、そのようにして、変換器６を介して、ビデオ電話サービスにより通信を交わす状態になる。しかしながら、変換器６が介在していることは、呼び出す側の端末からも呼び出される側の端末からも見えていない。関連づけられた後、端末Ｔ１とＴ２はビデオ電話サービスにより通信する。
【００４５】
ビデオ着信の場合（図２Ｂ）
【００４６】
例えばＩＳＤＮネットワーク９の固定端末Ｔ１から発せられた、ネットワークＵＭＴＳの移動端末Ｔ２宛てのビデオ着信の場合は、その呼び出しはネットワークＩＳＤＮ９によってＧ−ＭＳＣ４にまでルーティングされるのであり、その時に用いるメッセージＩＡＭ（Ｅ１´）の中にあるのは、呼び出す側の端末Ｔ１の番号を内容とする、呼び出し元識別フィールドと、呼び出される側の端末Ｔ２の番号を内容とする、呼び出し先識別フィールドと、以下のフィールドを内容とする、伝達能力（“ＩＳＤＮ  Ｂｅａｒｅｒ  Ｃａｐａｂｉｌｉｔｙ”）を記述する部分である。
・‘Ｏｔｈｅｒ  Ｒａｔｅ  Ａｄａｐｔａｔｉｏｎ’＝“Ｈ２２３＆Ｈ２４５”
・‘ＦＮＵＲ’  ＝６４ｋｂ／ｓ
【００４７】
Ｇ−ＭＳＣ４は呼び出される側の移動端末Ｔ２のロケーションについてのいかなる情報ももっていないため、名目上のロケーションレジスタであるＨＬＲ（Ｈｏｍｅ  Ｌｏｃａｔｉｏｎ  Ｒｅｇｉｓｔｅｒ）８に問い合わせ（Ｅ２´）、ＨＬＲ自身が、端末Ｔ２の近くに位置する図示されていないレジスタＶＬＲ（Ｖｉｓｉｔｏｒ  Ｌｏｃａｔｉｏｎ  Ｒｅｇｉｓｔｅｒ）に問い合わせることで、ＭＳＲＮ番号（Ｍｏｂｉｌｅ  Ｓｔａｔｉｏｎ  Ｒｏａｍｉｎｇ  Ｎｕｍｂｅｒ）が得られる。この番号により、Ｇ−ＭＳＣ４から、宛先であるＭＳＣ３に向けて、メッセージＩＡＭをルーティングすることが可能となる（Ｅ３´）。そのメッセージＩＡＭを、呼び出しルーター５が傍受し、‘Ｏｔｈｅｒ  Ｒａｔｅ  Ａｄａｐｔａｔｉｏｎ’と‘ＦＮＵＲ’フィールドの内容を分析して、それがビデオ呼び出しであることを識別する。このときルーター５は、その呼び出しを、そのルーターが結び付けられている変換器６に向けてルーティングし、受信したメッセージＩＡＭ（Ｅ４´）を変換器に再伝送する。
【００４８】
変換器６はメッセージＩＡＭを受信し、そこから呼び出す側と呼び出される側の番号を抜き出し、それらを互いに関連づけてメモリーに記憶させる。つぎに、変換器６は、呼び出される側の端末Ｔ２を呼び出し、呼び出す側の固定端末Ｔ１との通信の確立を完結させるということを、以下のようにして行う。
【００４９】
端末Ｔ２を呼び出すために、変換器６は、端末Ｔ２が接続されているＭＳＣ３に向けて、呼び出し元識別フィールドに、この場合は呼び出す側の端末Ｔ１の番号で構成された、呼び出す側の端末Ｔ１の識別情報を挿入して新しいメッセージＩＡＭ（Ｅ５´）を発信する。このようにして、その呼び出しは、呼び出される側の端末Ｔ２へと送られていくのであるが、それは変換器６を介して、二つのメッセージＩＡＭによって送られていくのであり、これらのメッセージはそれぞれネットワークＩＳＤＮ９（Ｅ１´）と変換器６（Ｅ５´）から発せられ、どちらも呼び出し元識別フィールドの中に、呼び出す側の端末Ｔ１の番号を含んでいる。そういうわけで、呼び出される側の端末Ｔ２から見ると、受信した呼び出しの出所は確かに呼び出す側の端末Ｔ１であり、変換器６ではない。変換器６と移動端末Ｔ２との間で呼び出しを確立する過程は、周知の方法で続行される。つまり、メッセージＩＡＭを受信すると、ＭＳＣ３はメッセージＣＣ−Ｓｅｔｕｐ（Ｅ６´）を端末Ｔ２に送り、その端末Ｔ２は、このメッセージを受信すると、ＭＳＣ３にメッセージＣＣ−Ｃａｌｌ  Ｃｏｎｆｉｒｍｅｄ（Ｅ７´）を返送する。つぎに、ネットワークＵＭＴＳは、必要なリソースをＲＡＢ  ａｓｓｉｇｎｅｍｅｎｔ（Ｅ８´）の手順により、端末Ｔ２が接続されているノードＢ１とＲＮＣ２とで構成されているＵＴＲＡＮの中に割り当てる。呼び出される側の端末Ｔ２が鳴ると、メッセージＣＣ−Ａｌｅｒｔｉｎｇ（Ｅ９´）がＭＳＣ３に送られ、メッセージＡＣＭ（Ａｄｄｒｅｓｓ  Ｃｏｍｐｌｅｔｅ  Ｍｅｓｓａｇｅ）  （Ｅ１０´）により変換器６に向けて中継される。呼び出される側の端末Ｔ２が受話器を取ると、メッセージＣＣ−Ｃｏｎｎｅｃｔ（Ｅ１１´）が端末Ｔ２からＭＳＣ３に伝送され、つぎに、ＭＳＣ３が変換器６に向けて発信した、呼び出される側Ｔ２が受話器を取ったことを示すものであるメッセージＡＮＭ（Ａｎｓｗｅｒ  Ｍｅｓｓａｇｅ）（Ｅ１２´）により中継される。このときビデオ電話通信が、呼び出される側の端末Ｔ２と変換器６との間に確立される。
【００５０】
呼び出す側の端末Ｔ１と変換器６との間の通信の確立の過程は、次のような流れを経て終了する。変換器６は、呼び出される側の端末Ｔ２から発せられた、端末Ｔ２が着信音により呼び出しを通知されたことを示すメッセージＡＣＭ（＿Ｅ１０´）と、そして次に、呼び出される側の端末Ｔ２から発せられた、呼び出される側の端末Ｔ２が受話器を取ったことを示すメッセージＡＮＭ（＿Ｅ１２´）を、固定ネットワークＩＳＤＮ９の呼び出す側の端末Ｔ１に向けて再伝送する。このとき、変換器６と呼び出される側の端末Ｔ１との間のビデオ通信が確立される。
【００５１】
一方は変換器６、そして他方は二つの端末Ｔ１とＴ２それぞれとの間の二つのビデオ通信を確立した後、変換器６は二つの通信を接合させ、それにより、二つの端末Ｔ１とＴ２とをビデオ電話サービスにより関連づける。
【００５２】
ここで強調しておきたいのは、変換器６が介在していることは、呼び出す側の端末Ｔ１からも呼び出される側の端末Ｔ２からも見えていないということである。
【００５３】
ビデオ電話サービスから音声による電話サービスへの切替過程
【００５４】
二つの端末Ｔ１とＴ２との間でビデオ通信を行っており、二つの端末の少なくとも一つがネットワークＵＭＴＳ（着信または発信）に属している場合、変換器６は、二つの端末Ｔ１とＴ２との間で伝送されるコード化されたビデオ・データのパケットを搬送する、ビデオ・コード化プロトコルＨ．２６３のフレームを分析する。明細書の中の具体例においては、変換器６は、データの欠損した、あるいはエラーの生じたパケット数を定期的に評価して、ビデオ通信の質を監視する。
【００５５】
二つの端末のうちの一つ、Ｔ１またはＴ２の移動端末が、移動して、ビデオ電話サービスの質が不十分なものである、ＵＭＴＳセルの周辺に位置する区域に入ると、二つの端末Ｔ１とＴ２との間のビデオ通信は劣化する。変換器６は、そのビデオ通信の質の劣化を検知し、このとき、二つの端末Ｔ１とＴ２のそれぞれに並行して（この場合は交渉プロトコルＨ．２４５のメッセージＵｓｅｒＩｎｐｕｔＩｎｄｉｃａｔｉｏｎであり、それら端末にこれから音声による通信が確立されることを通知するものである）警告メッセージを伝送して通信を中断する。このメッセージを受信すると、各端末Ｔ１、Ｔ２は、この情報を利用者に、この場合は端末上にメッセージを表示して通知する。変形例として、あるいは補完的方法として、その警告メッセージを受信すると、各端末Ｔ１、Ｔ２は、通信が中断している間、最後に表示された画像で停止した状態にするか、あるいは音声による警告メッセージを発信してもよい。
【００５６】
二つの端末Ｔ１とＴ２との間の通信を中断させた後、変換器６は、音声による電話サービスにより、二つの端末Ｔ１とＴ２とを並行して呼び出し、そのようにして、端末Ｔ１と音声による第一の通信を、端末Ｔ２と音声による第二の通信を確立し、つぎに、それら二つの音声通信を接合させることにより二つの端末Ｔ１とＴ２とを関連づける。二つの端末Ｔ１とＴ２との間の通信は、そのようにして、変換器６を介して、音声による電話サービスにより確立される。その呼び出しの一時的な中断の後、二つの端末Ｔ１とＴ２は、音声による電話サービスにより通信を続行する。
【００５７】
本発明の変形実施例においては、変換器６に向けてビデオ呼び出しをルーティングする機能は、ネットワークＵＭＴＳのＭＳＣ３とＧ−ＭＳＣ５の中に組み込まれており、したがって、これらの機器は呼び出しをルーティングする装置としての役割を果たす。この場合、発信の場合は、ＭＳＣ３の中に組み込まれたビデオ呼び出し識別モジュールは、呼び出す側であり、通信を開始する端末から発せられた呼び出しを確立するメッセージＣＣ−Ｓｅｔｕｐの内容となる伝達能力（“ＩＥ  Ｂｅａｒｅｒ  Ｃａｐａｂｉｌｉｔｙ”）を記述する部分に記載されている、‘Ｏｔｈｅｒ  Ｒａｔｅ  Ａｄａｐｔａｔｉｏｎ’と‘ＦＮＵＲ’フィールドの内容を分析するように構成されている。着信の場合は、Ｇ−ＭＳＣ５の中に組み込まれたビデオ呼び出し識別モジュールが、ネットワークＩＳＤＮ９から発せられたメッセージＩＡＭの内容となる伝達能力（“ＩＳＤＮ  Ｂｅａｒｅｒ  Ｃａｐａｂｉｌｉｔｙ”）を記述する部分に記載されている、‘Ｏｔｈｅｒ  Ｒａｔｅ  Ａｄａｐｔａｔｉｏｎ’と‘ＦＮＵＲ’フィールドの内容を分析するように構成されている。
【００５８】
上記に説明した実施例においては、変換器６により、ビデオ電話サービスから音声による電話サービスへの移行が可能となる。いう迄もなく、本発明は、上記に説明したもの以外の二つの電話サービスの間の通信にも応用できる。
【００５９】
語彙集
この語彙集は、本特許出願で用いられた英語の略語の一覧である。これらの略語の定義は、３ＧＰＰ遠距離通信規格に準拠して行われている。
ＡＣＭ：Ａｄｄｒｅｓｓ  Ｃｏｍｐｌｅｔｅ  Ｍｅｓｓａｇｅ
ＡＮＭ：Ａｎｓｗｅｒ  Ｍｅｓｓａｇｅ
ＣＣ：Ｃａｌｌ  Ｃｏｎｔｒｏｌ
ＥＴＳＩ：Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ
ＦＮＵＲ：Ｆｉｘｅｄ  Ｎｅｔｗｏｒｋ  Ｕｓｅｒ  Ｒａｔｅ
３ＧＰＰ：Ｔｈｉｒｄ−Ｇｅｎｅｒａｔｉｏｎ  Ｐａｒｔｎｅｒｓｈｉｐ  ｐｒｏｊｅｃｔ（ｏｆ  ＥＴＳＩ）
Ｇ−ＭＳＣ：Ｇａｔｅｗａｙ  ＭＳＣ
ＨＬＲ：Ｈｏｍｅ  Ｌｏｃａｔｉｏｎ  Ｒｅｇｉｓｔｅｒ
ＩＡＭ：Ｉｎｉｔｉａｌ  Ａｄｄｒｅｓｓ  Ｍｅｓｓａｇｅ
ＩＳＤＮ：Ｉｎｔｅｇｒａｔｅｄ  Ｓｅｒｖｉｃｅ  Ｄｉｇｉｔａｌ  Ｎｅｔｗｏｒｋ
ＩＳＵＰ：ＩＳＤＮ  Ｕｓｅｒ  Ｐａｒｔ
ＭＳＣ：Ｍｏｂｉｌｅ  Ｓｗｉｔｃｈｉｎｇ  Ｃｅｎｔｅｒ
ＲＡＢ：Ｒａｄｉｏ  Ａｃｃｅｓｓ  Ｂｅａｒｅｒ
ＲＮＣ：Ｒａｄｉｏ  Ｎｅｔｗｏｒｋ  Ｃｏｎｔｒｏｌｌｅｒ
ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ
【図面の簡単な説明】
【００６０】
【図１】セルのカバー範囲全体にわたって音声による電話サービスが可能であり、その一部でのみビデオ電話サービスが可能なＵＭＴＳセルの概略図である。
【図２Ａ】発信の場合の、図１の携帯電話システムの通信網の構成要素を示す図である。
【図２Ｂ】着信の場合の、図１の携帯電話システムの通信網の構成要素を示す図である。
【図３】図２Ａと図２Ｂの呼び出しルーターのブロックフローチャートである。
【図４】図２Ａと図２Ｂの電話サービス変換器のブロックフローチャートである。
【符号の説明】
【００６１】
Ｃ１  セルの中心部
Ｃ２  セルの周辺部
Ｐ    周囲
Ｔ１、Ｔ２      移動端末
１    ノードＢ
２    ＲＮＣ
３    ＭＳＣ
４    Ｇ−ＭＳＣ
５    呼び出しルーター
５０  識別モジュール
５１  進路決定モジュール
６    電話サービス変換器
６０  受信モジュール
６１  検出モジュール
６２  呼び出し切断モジュール
６３  呼び出しモジュール
６４  接合モジュール
６５  メモリ
８    ＨＬＲ
９    ＩＳＤＮネットワーク
【図１】
2008501267.tif 000003
【図２Ａ】
2008501267.tif 000004
【図２Ｂ】
2008501267.tif 000005
【図３】
2008501267.tif 000006
【図４】
2008501267.tif 000007
【国際調査報告】
2008501267.tif 000008
2008501267.tif 000009
2008501267.tif 000010
2008501267.tif 000011
2008501267.tif 000012
2008501267.tif 000013